【手続補正書】
【提出日】平成20年10月16日(2008.10.16)
【手続補正１】
【補正対象書類名】明細書
【補正対象項目名】００２２
【補正方法】変更
【補正の内容】
【００２２】
図４は、時間の経過４００とともに行われる一連の非持続的（例えば非スティッキー）割り当てを示す。周波数は、割り当て対象となるシステム資源の型として示されているが、割り当て可能なシステム資源は周波数に限定されているわけではない。図により、第１のユーザー、Ｕ１は、時間１のときに周波数Ａが割り当てられる。時間２においては、最初の割り当てはスティッキー割り当てでないという部分的理由で周波数ｆａをユーザー２に再度割り当てることができる。周波数ｆｃは、時間１及び２の両方の時間中にユーザー３に割り当てられることが示されている。しかしながら、ユーザー３への周波数ｆｃの割り当てはスティッキー割り当てではないため、ユーザー３が周波数ｆｃを保持することは、時間１及び時間２の各々において別個の割り当てを行うことを要求し、その結果割り当て信号オーバーヘッドの望ましくない増大が生じる可能性があり、該増大がシステム資源に悪影響を及ぼす可能性がある。以上のように、非スティッキー割り当てを採用するシステムは、ｎの利用可能な周波数をＮのユーザーに割り当てるために１つの時間フレーム当たりｎの異なる割り当てを要求することになる。
【手続補正２】
【補正対象書類名】明細書
【補正対象項目名】００２３
【補正方法】変更
【補正の内容】
【００２３】
図５は、本明細書において説明される様々な実施形態に関して採用することができるような、時間の経過とともに行われる一連の持続的な、すなわち「スティッキーな」割り当て５００を示す。例えば、第１の組の割り当ては、第１の時間フレーム中にユーザー１−Ｎに送信することができ、該割り当ては、１つ以上の後続する割り当てが１つ以上の個々のユーザーに送信されるまで持続することができる。従って、Ｎの割り当ての第１の組は、（ユーザーのニーズ、帯域幅の利用可能性、等に起因して）システム資源の割り当ての変更が望まれるまで及び／又は必要になるまでは全ユーザーに該割り当てを提供する上で十分である。Ｕ６、等の後続ユーザーには、ｔ３において示されるように、周波数ｆｄが利用可能になった場合に該周波数を割り当てることができる。この方法により、非スティッキー割り当てを採用時よりも少ない割り当てメッセージをネットワーク上で送信すればよい。
【手続補正３】
【補正対象書類名】明細書
【補正対象項目名】００２４
【補正方法】変更
【補正の内容】
【００２４】
さらに、利用可能なシステム資源は、ユーザーが追加の資源を要求する場合はあらゆる１−Ｎのユーザーに割り当てることができる。例えば、Ｕ５は、周波数ｆｅに加えて、ネットワークでの通信中のある時点において追加の周波数が利用可能であることを要求すると決定することができる。周波数ｆｅ及びｆｆがＵ５に割り当てられることを示す後続の割り当てメッセージをＵ５に送信することができる。さらに、本明細書において詳細に説明される様々な実施形態と関連して、該追加割り当てメッセージは、Ｕ５に周波数を再割り当て時にネットワーク資源の消費を軽減するための補足割り当てであることができる。
【手続補正４】
【補正対象書類名】明細書
【補正対象項目名】００３６
【補正方法】変更
【補正の内容】
【００３６】
図９は、システム資源を最小限のオーバーヘッドコストでユーザーに割り当てるのを容易にするシステム９００を示す。システム９００は、周波数、チャネル、送信時間スロット、等の資源を通信ネットワーク内の１つ以上の基地局９０８を通じて１つ以上のユーザーデバイス９１０に割り当てることができる割り当てコンポーネント９０２を具備する。割り当てコンポーネント９０２は、非補足割り当てを提供するスティッキーコンポーネント９０４と、本明細書において前の図に関して説明されている補足割り当てを生成することができる補足コンポーネント９０６と、を具備することができる。割り当てコンポーネント９０２は、メモリ９１２、プロセッサ９１４、及びＡＩコンポーネント９１６の各々に動作可能な形でさらに結合され、これらの各々は、動作可能な形で他方に結合させることができる。
【手続補正５】
【補正対象書類名】明細書
【補正対象項目名】００４９
【補正方法】変更
【補正の内容】
【００４９】
図１３は、典型的な無線通信システム１３００を示す。無線通信システム１３００は、説明を簡潔にするために１つの基地局及び１つの端末を描いたものである。しかしながら、システムは、２つ以上の基地局及び／又は２つ以上の端末を含むことが可能であり、ここで追加の基地局及び／又は端末は後述される典型的基地局及び端末と実質的に同じであること又は異なることができることが理解されるべきである。さらに、基地局及び／又は端末は、相互における無線通信を容易にするために本明細書において説明されるシステム（図６乃至９）及び／又は方法（図１０乃至１２）を採用できることが理解されるべきである。
【手続補正６】
【補正対象書類名】明細書
【補正対象項目名】００５０
【補正方法】変更
【補正の内容】
【００５０】
次に、図１３に関して、ダウンリンクにおいて、アクセスポイント１３０５で、送信（ＴＸ）データプロセッサ１３１０は、トラフィックデータを受信、フォーマット化、符号化、インターリービング、及び変調（又はシンボルマッピング）し、変調信号（「データシンボル」）を提供する。ＯＦＤＭ変調器１３１５は、データシンボル及びパイロットシンボルを受信してＯＦＤＭシンボルストリームを提供する。ＯＦＤＭ変調器１３１５は、適切なサブバンドにおいてデータ及びパイロットシンボルを多重化し、各未使用サブバンドに関してゼロの信号値を提供し、各ＯＦＤＭシンボル期間に関するＮのサブバンドに関する一組のＮの送信シンボルを得る。各送信シンボルは、データシンボル、パイロットシンボル、又はゼロの信号値であることができる。パイロットシンボルは、各ＯＦＤＭシンボル期間において連続して送信することができる。代替として、パイロットシンボルは、時分割多重化（ＴＤＭ）、周波数分割多重化（ＦＤＭ）、又は符号分割多重化（ＣＤＭ）することができる。ＯＦＤＭ変調器１３１５は、ＮポイントＩＦＦＴを用いて各組のＮの送信シンボルを時間領域に変換し、Ｎの時間領域チップを含む「変換された」シンボルを得る。ＯＦＤＭ変調器１３１５は、典型的には、各変換されたシンボルの一部分を繰り返して対応するＯＦＤＭシンボルを得る。繰り返された部分は、サイクリックプリフィックスと呼ばれ、無線チャネルにおける遅延拡散に対処するために用いられる。
【手続補正７】
【補正対象書類名】明細書
【補正対象項目名】００５１
【補正方法】変更
【補正の内容】
【００５１】
送信機装置（ＴＭＴＲ）１３２０は、ＯＦＤＭシンボルストリームを受信して１つ以上のアナログ信号に変換し、該アナログ信号をさらにコンディショニング（例えば、増幅、フィルタリング、及び周波数アップコンバージョン）して無線チャネルでの送信に適したダウンリンク信号を生成する。ダウンリンク信号は、アンテナ１３２５を通じて端末に送信される。端末１３３０において、アンテナ１３３５は、ダウンリンク信号を受信し、受信された信号を受信機装置（ＲＣＶＲ）１３４０に提供する。受信機装置１３４０は、受信された信号をコンディショニング（例えば、フィルタリング、増幅、及び周波数ダウンコンバージョン）し、コンディショニングされた信号をデジタル化してサンプルを得る。ＯＦＤＭ復調器１３４５は、各ＯＦＤＭシンボルに添付されたサイクリックプリフィックスを除去し、各受信された変換されたシンボルをＮポイントＦＦＴを用いて周波数領域に変換し、各ＯＦＤＭシンボル期間に関するＮのサブバンドに関するＮの受信されたシンボルを入手し、受信されたパイロットシンボルをチャネル推定のためにプロセッサ１３５０に提供する。ＯＦＤＭ復調器１３４５は、ダウンリンクに関する周波数応答推定値をプロセッサ１３５０からさらに受信し、受信されたデータシンボルに関するデータ復調を行って（送信されたデータシンボルの推定値である）データシンボル推定値を入手し、データシンボル推定値をＲＸデータプロセッサ１３５５に提供し、ＲＸデータプロセッサ１３５５は、データシンボル推定値を復調（すなわち、シンボルデマッピング）、デインターリービング、及び復号し、送信されたトラフィックデータを復元させる。ＯＦＤＭ復調器１３４５及びＲＸデータプロセッサ１３５５による処理は、アクセスポイント１３０５におけるＯＦＤＭ変調器１３１５及びＴＸデータプロセッサ１３１０による処理をそれぞれ補完するものである。
【手続補正８】
【補正対象書類名】明細書
【補正対象項目名】００５２
【補正方法】変更
【補正の内容】
【００５２】
アップリンクにおいて、ＴＸデータプロセッサ１３６０は、トラフィックデータを処理してデータシンボルを提供する。ＯＦＤＭ変調器１３６５は、データシンボルを受信してパイロットシンボルと多重化し、ＯＦＤＭ変調を行い、ＯＦＤＭシンボルストリームを提供する。パイロットシンボルは、パイロット送信のために端末１３３０に割り当てられているサブバンドで送信することができ、ここで、アップリンクに関するパイロットサブバンド数は、ダウンリンクに関するパイロットサブバンド数と同じ又は異なることができる。次に、送信機装置１３７０は、ＯＦＤＭシンボルストリームを受信及び処理してアップリンク信号を生成し、該アップリンク信号は、アンテナ１３３５によってアクセスポイント１３０５に送信される。
【手続補正９】
【補正対象書類名】明細書
【補正対象項目名】００５３
【補正方法】変更
【補正の内容】
【００５３】
アクセスポイント１３０５において、端末１３３０からのアップリンク信号がアンテナ１３２５によって受信され、受信機装置１３７５によって処理されてサンプルが得られる。ＯＦＤＭ復調器１３８０は、サンプルを処理してアップリンクに関する受信されたパイロットシンボル及びデータシンボル推定値を提供する。ＲＸデータプロセッサ１３８５は、データシンボル推定値を処理し、端末１３３０によって送信されたトラフィックデータを復元させる。プロセッサ１３９０は、アップリンクにおいて送信中の各アクティブ端末に関するチャネル推定を行う。複数の端末が、各々の割り当てられた組のパイロットサブバンドにおいてアップリンクで同時並行してパイロットを送信することができ、これらのパイロットサブバンドの組はインターレースすることができる。
【手続補正１０】
【補正対象書類名】明細書
【補正対象項目名】００５４
【補正方法】変更
【補正の内容】
【００５４】
プロセッサ１３９０及び１３５０は、アクセスポイント１３０５及び端末１３３０における動作をそれぞれ指示する（例えば、制御、調整、管理する）。各々のプロセッサ１３９０及び１３５０は、プログラムコード及びデータを格納するメモリ装置（図示されていない）と関連づけることができる。プロセッサ１３９０及び１３５０は、アップリンク及びダウンリンクに関する周波数及びインパルス応答推定値をそれぞれ導き出すための計算を行うこともできる。
【手続補正１１】
【補正対象書類名】図面
【補正対象項目名】図６
【補正方法】変更
【補正の内容】
【図６】
2008533836.tif 000001
【手続補正１２】
【補正対象書類名】図面
【補正対象項目名】図８
【補正方法】変更
【補正の内容】
【図８】
2008533836.tif 000002